(57)【要約】  スループット向上が可能な基地局装置、端末装置および通信方法を提供すること。端末装置と通信する基地局装置であって、所定の送信モードが設定された前記端末装置に対して、チャネル状態情報（CSI）の報告に関する設定であるＣＳＩプロセスを設定する上位層処理部を備え、前記ＣＳＩプロセスは、ＣＳＩ参照信号の設定及び異なる２つのコードブックに関する設定を含む。基地局装置と通信する端末装置であって、前記基地局装置によってチャネル状態情報（CSI）報告に関する設定であるＣＳＩプロセスが設定される上位層処理部と、前記ＣＳＩプロセスに基づいて、前記ＣＳＩを送信する送信部とを備え、前記ＣＳＩプロセスは、ＣＳＩ参照信号の設定及び異なる２つのコードブックに関する設定を含む。
2016072389.tif 000002
【特許請求の範囲】
【請求項１】
端末装置と通信する基地局装置であって、
所定の送信モードが設定された前記端末装置に対して、チャネル状態情報（CSI）の報告に関する設定であるＣＳＩプロセスを設定する上位層処理部を備え、
前記ＣＳＩプロセスは、ＣＳＩ参照信号の設定及び異なる２つのコードブックに関する設定を含む基地局装置。
【請求項２】
前記２つのコードブックの各々は、前記ＣＳＩ参照信号の一部のアンテナポートに対応する請求項１に記載の基地局装置。
【請求項３】
前記ＣＳＩ参照信号の設定は、複数のＣＳＩ参照信号構成を含む請求項１に記載の基地局装置。
【請求項４】
前記ＣＳＩプロセスに基づいて、前記ＣＳＩを受信する受信部をさらに備え、
前記ＣＳＩには、前記２つのコードブックに基づいた１つのプリコーディング行列指標が含まれる請求項１に記載の基地局装置。
【請求項５】
前記ＣＳＩプロセスに基づいて、前記ＣＳＩを受信する受信部をさらに備え、
前記ＣＳＩには、前記２つのコードブックの各々に基づく２つのプリコーディング行列指標が含まれる請求項１に記載の基地局装置。
【請求項６】
基地局装置と通信する端末装置であって、
前記基地局装置によってチャネル状態情報（CSI）報告に関する設定であるＣＳＩプロセスが設定される上位層処理部と、
前記ＣＳＩプロセスに基づいて、前記ＣＳＩを送信する送信部とを備え、
前記ＣＳＩプロセスは、ＣＳＩ参照信号の設定及び異なる２つのコードブックに関する設定を含む端末装置。
【請求項７】
前記２つのコードブックの各々は、前記ＣＳＩ参照信号の一部のアンテナポートに対応する請求項６に記載の端末装置。
【請求項８】
前記ＣＳＩ参照信号の設定は、複数のＣＳＩ参照信号構成を含む請求項６に記載の端末装置。
【請求項９】
前記２つのコードブックに基づいた１つのプリコーディング行列指標を求め、前記プリコーディング行列指標を前記ＣＳＩに含めて前記基地局装置に送信する請求項６に記載の端末装置。
【請求項１０】
前記２つのコードブックに基づいた各々のプリコーディング行列指標を求め、前記プリコーディング行列指標を前記ＣＳＩに含めて前記基地局装置に送信する請求項６に記載の端末装置。
【請求項１１】
端末装置と通信する基地局装置における通信方法であって、
所定の送信モードが設定された前記端末装置に対して、チャネル状態情報（CSI）の報告に関する設定であるＣＳＩプロセスを設定する上位層処理ステップを備え、
前記ＣＳＩプロセスは、ＣＳＩ参照信号の設定及び異なる２つのコードブックに関する設定を含む通信方法。
【請求項１２】
基地局装置と通信する端末装置における通信方法であって、
前記基地局装置によってチャネル状態情報（CSI）報告に関する設定であるＣＳＩプロセスが設定される上位層処理ステップと、
前記ＣＳＩプロセスに基づいて、前記ＣＳＩを送信する送信ステップとを備え、
前記ＣＳＩプロセスは、ＣＳＩ参照信号の設定及び異なる２つのコードブックに関する設定を含む通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、効率的なデータ伝送を実現するため、基地局装置（基地局、送信局、送信点、下りリンク送信装置、上りリンク受信装置、送信アンテナ群、送信アンテナポート群、コンポーネントキャリア、eNodeB）と端末装置（移動局装置、受信局、受信点、上りリンク送信装置、下りリンク受信装置、移動端末、受信アンテナ群、受信アンテナポート群、UE: User Equipment）との間の伝送路状況に応じて、変調方式および符号化率（MCS: Modulation and Coding Scheme）、空間多重数（レイヤ数、ランク）が適応的に制御される。【０００３】
例えば、ＬＴＥにおいて、下りリンクで送信される下りリンク送信信号（例えば、PDSCH（Physical Downlink Shared CHannel））のＭＣＳ、空間多重数等を適応的に制御する場合、端末装置は基地局装置から送信される下りリンク送信信号に含まれる下りリンク参照信号（DLRS: DownLink Reference Signal）を参照して、受信品質情報（あるいは、チャネル状態情報（CSI: Channel State Information）とも称す）を計算し、上りリンクのチャネル（例えば、PUCCH、PUSCH）を介して前記基地局装置に報告する。前記基地局装置は、端末装置が送信した前記受信品質情報等を考慮して選択したＭＣＳや空間多重数が施された下りリンク送信信号を送信する。前記受信品質情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。このような受信品質情報については非特許文献１に記載されている。
【先行技術文献】
【非特許文献】
【０００４】
【非特許文献１】３ＧＰＰ  ＴＳ３６．２１３  Ｖ１２．３．０、３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １２）、２０１４年９月。
【発明の概要】
【発明が解決しようとする課題】
【０００５】
近年、スループットの向上などを目的として、多数の送信アンテナや様々なアンテナ配置が検討されている。しかしながら、非特許文献に記載の技術では、基地局装置は多数の送信アンテナや様々なアンテナ配置の場合のチャネル状態を把握できないため、端末装置に対して適切な送信ができない可能性がある。この場合、スループットの向上やカバレッジの拡大が限定的となってしまうという問題がある。本発明はこのような事情を鑑みてなされたものであり、その目的は、スループット向上が可能な基地局装置、端末装置および通信方法を提供することにある。
【課題を解決するための手段】
【０００６】
上述した課題を解決するために本発明に係る基地局装置、端末装置および通信方法の構成は、次の通りである。【０００７】
本発明における基地局装置は、端末装置と通信する基地局装置であって、所定の送信モードが設定された前記端末装置に対して、チャネル状態情報（CSI）の報告に関する設定である複数のＣＳＩプロセスを設定する上位層処理部と、前記ＣＳＩプロセスに基づいて、前記ＣＳＩを受信する受信部とを備え、前記複数のＣＳＩプロセスのうち、所定のＣＳＩプロセスは、他のＣＳＩプロセスのプリコーディング行列指標（PMI）に関して関連付けられ、前記所定のＣＳＩプロセスにおけるＰＭＩは、前記他のＣＳＩプロセスにおけるＰＭＩに基づいて決まる。【０００８】
また、本発明の基地局装置において、前記他のＣＳＩプロセスは、ＰＭＩを関連付けるＣＳＩプロセスを示すＰＭＩ参照ＣＳＩプロセスであり、前記所定のＣＳＩプロセスは、前記ＰＭＩ参照ＣＳＩプロセスが設定される。【０００９】
また、本発明の基地局装置において、少なくとも前記ＰＭＩに関する関連付けを示すＣＳＩプロセスセットを設定し、前記ＣＳＩプロセスセットは前記所定のＣＳＩプロセスと前記他のＣＳＩプロセスとを含む。【００１０】
また、本発明の基地局装置において、前記所定のＣＳＩプロセスに、前記他のＣＳＩプロセスが設定されていた場合、前記他のＣＳＩプロセスで選択されたＰＭＩを想定して、前記所定のＣＳＩプロセスにおけるＰＭＩが選択される。【００１１】
また、本発明の基地局装置において、前記所定のＣＳＩプロセスに、前記他のＣＳＩプロセスが設定されていた場合であり、８ＣＳＩ−ＲＳポートが設定されている場合、もしくは、４アンテナポートに対して別のコードブックが利用可能な設定となっている場合、前記他のＣＳＩプロセスで選択された第１のＰＭＩおよび第２のＰＭＩを想定して、前記所定のＣＳＩプロセスにおける第１のＰＭＩおよび第２のＰＭＩが選択される。【００１２】
また、本発明の基地局装置において、前記所定のＣＳＩプロセスに、前記他のＣＳＩプロセスが設定されていた場合であり、８ＣＳＩ−ＲＳポートが設定されている場合、もしくは、４アンテナポートに対して別のコードブックが利用可能な設定となっている場合、前記他のＣＳＩプロセスで選択された第１のＰＭＩを想定して、前記所定のＣＳＩプロセスにおける第１のＰＭＩが選択され、前記他のＰＭＩ参照ＣＳＩプロセスで選択された第２のＰＭＩを想定して、前記所定のＣＳＩプロセスにおける第２のＰＭＩが選択される。【００１３】
また、本発明の基地局装置において、前記所定のＣＳＩプロセスでＰＭＩを求める際に用いられるコードブックと、前記他のＣＳＩプロセスでＰＭＩを求める際に用いられるコードブックは異なる。【００１４】
また、本発明の基地局装置において、前記所定のＣＳＩプロセスでＰＭＩを求める際に用いられるコードブックは、前記他のＣＳＩプロセスでＰＭＩを求める際に用いられるコードブックのサブセットである。【００１５】
また、本発明の基地局装置において、前記所定のＣＳＩプロセスで第１のＰＭＩを求める際に用いられるコードブックは、前記他のＣＳＩプロセスで第１のＰＭＩを求める際に用いられるコードブックのサブセットである。【００１６】
また、本発明の基地局装置において、前記ＣＳＩプロセスセットにおいて、プロセスＩＤが最も小さい数字を持つＣＳＩプロセスで選択されたＰＭＩを想定して、別のＣＳＩプロセスにおけるＰＭＩが選択される。【００１７】
また、本発明の端末装置は、基地局装置と通信する端末装置であって、前記基地局装置から、チャネル状態情報（CSI）の報告に関する設定である複数のＣＳＩプロセスを設定される上位層処理部と、前記ＣＳＩプロセスに基づいて、前記ＣＳＩを送信する送信部とを備え、前記複数のＣＳＩプロセスのうち、所定のＣＳＩプロセスは、他のＣＳＩプロセスのプリコーディング行列指標（PMI）に関して関連付けられ、前記所定のＣＳＩプロセスにおけるＰＭＩは、前記他のＣＳＩプロセスにおけるＰＭＩに基づいて決まる。【００１８】
また、本発明の端末装置において、前記他のＣＳＩプロセスは、ＰＭＩを関連付けるＣＳＩプロセスを示すＰＭＩ参照ＣＳＩプロセスであり、前記所定のＣＳＩプロセスは、前記ＰＭＩ参照ＣＳＩプロセスが設定される。【００１９】
また、本発明の端末装置において、少なくとも前記ＰＭＩに関する関連付けを示すＣＳＩプロセスセットが設定され、前記ＣＳＩプロセスセットは前記所定のＣＳＩプロセスと前記他のＣＳＩプロセスとを含む。【００２０】
また、本発明の端末装置において、前記所定のＣＳＩプロセスに、前記他のＣＳＩプロセスが設定されていた場合、前記他のＣＳＩプロセスで選択されたＰＭＩを想定して、前記所定のＣＳＩプロセスにおけるＰＭＩが選択される。【００２１】
また、本発明の端末装置において、前記所定のＣＳＩプロセスに、前記他のＣＳＩプロセスが設定されていた場合であり、８ＣＳＩ−ＲＳポートが設定されている場合、もしくは、４アンテナポートに対して別のコードブックが利用可能な設定となっている場合、前記他のＣＳＩプロセスで選択された第１のＰＭＩおよび第２のＰＭＩを想定して、前記所定のＣＳＩプロセスにおける第１のＰＭＩおよび第２のＰＭＩが選択される。【００２２】
また、本発明の端末装置において、前記所定のＣＳＩプロセスに、前記他のＣＳＩプロセスが設定されていた場合であり、８ＣＳＩ−ＲＳポートが設定されている場合、もしくは、４アンテナポートに対して別のコードブックが利用可能な設定となっている場合、前記他のＣＳＩプロセスで選択された第１のＰＭＩを想定して、前記所定のＣＳＩプロセスにおける第１のＰＭＩが選択され、前記他のＰＭＩ参照ＣＳＩプロセスで選択された第２のＰＭＩを想定して、前記所定のＣＳＩプロセスにおける第２のＰＭＩが選択される。【００２３】
また、本発明の端末装置において、前記所定のＣＳＩプロセスでＰＭＩを求める際に用いられるコードブックと、前記他のＣＳＩプロセスでＰＭＩを求める際に用いられるコードブックは異なる。【００２４】
また、本発明の端末装置において、前記所定のＣＳＩプロセスでＰＭＩを求める際に用いられるコードブックは、前記他のＣＳＩプロセスでＰＭＩを求める際に用いられるコードブックのサブセットである。【００２５】
また、本発明の端末装置において、前記所定のＣＳＩプロセスで第１のＰＭＩを求める際に用いられるコードブックは、前記他のＣＳＩプロセスで第１のＰＭＩを求められる際に用いるコードブックのサブセットである。【００２６】
また、本発明の端末装置において、前記ＣＳＩプロセスセットにおいて、プロセスＩＤが最も小さい数字を持つＣＳＩプロセスで選択されたＰＭＩを想定して、別のＣＳＩプロセスにおけるＰＭＩが選択される。【００２７】
また、本発明の通信方法は、端末装置と通信する基地局装置における通信方法であって、所定の送信モードが設定された前記端末装置に対して、チャネル状態情報（CSI）の報告に関する設定である複数のＣＳＩプロセスを設定する上位層処理ステップと、前記ＣＳＩプロセスに基づいて、前記ＣＳＩを受信する受信ステップとを備え、前記複数のＣＳＩプロセスのうち、所定のＣＳＩプロセスは、他のＣＳＩプロセスのプリコーディング行列指標（PMI）に関して関連付けられ、前記所定のＣＳＩプロセスにおけるＰＭＩは、前記他のＣＳＩプロセスにおけるＰＭＩに基づいて決まる。【００２８】
また、本発明の通信方法は、基地局装置と通信する端末装置における通信方法であって、前記基地局装置から、チャネル状態情報（CSI）の報告に関する設定である複数のＣＳＩプロセスを設定される上位層処理ステップと、前記ＣＳＩプロセスに基づいて、前記ＣＳＩを送信する送信ステップとを備え、前記複数のＣＳＩプロセスのうち、所定のＣＳＩプロセスは、他のＣＳＩプロセスのプリコーディング行列指標（PMI）に関して関連付けられ、前記所定のＣＳＩプロセスにおけるＰＭＩは、前記他のＣＳＩプロセスにおけるＰＭＩに基づいて決まる。
【発明の効果】
【００２９】
本発明によれば、様々な環境におけるチャネル状態を把握することができ、スループットを向上させることができる。
【図面の簡単な説明】
【００３０】
【図１】本実施形態に係る通信システムの例を示す図である。
【図２】本実施形態に係る基地局装置の構成例を示すブロック図である。
【図３】本実施形態に係る端末装置の構成例を示すブロック図である。
【発明を実施するための形態】
【００３１】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００３２】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３３】
図１は、本実施形態に係る通信システムの例を示す図である。図１に示すように、本実施形態における通信システムは、基地局装置１Ａ、１Ｂ、端末装置２Ａ、２Ｂを備える。また、カバレッジ１−１は、基地局装置１Ａが端末装置と接続可能な範囲（通信エリア）である。また、カバレッジ１−２は、基地局装置１Ｂが端末装置と接続可能な範囲（通信エリア）である。
【００３４】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３５】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００３６】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００３７】
前記チャネル品質指標ＣＱＩは（以下、CQI値）、所定の帯域（詳細は後述）における好適な変調方式（例えば、QPSK、16QAM、64QAM、256QAMなど）、符号化率（code rate）とすることができる。ＣＱＩ値は、前記変更方式や符号化率により定められたインデックス（CQI Index）とすることができる。前記ＣＱＩ値は、予め当該システムで定めたものをすることができる。
【００３８】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３９】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００４０】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００４１】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００４２】
ＰＲＡＣＨは、ランダムアクセスプリアンブルを送信するために用いられる。
【００４３】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４４】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４５】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel: 報知チャネル）
・ＰＣＦＩＣＨ（Physical Control Format Indicator Channel: 制御フォーマット指示チャネル）
・ＰＨＩＣＨ（Physical Hybrid automatic repeat request Indicator Channel: HARQ指示チャネル）
・ＰＤＣＣＨ（Physical Downlink Control Channel: 下りリンク制御チャネル）
・ＥＰＤＣＣＨ（Enhanced Physical Downlink Control Channel: 拡張下りリンク制御チャネル）
・ＰＤＳＣＨ（Physical Downlink Shared Channel: 下りリンク共有チャネル）
【００４６】
ＰＢＣＨは、端末装置で共通に用いられるマスターインフォメーションブロック（Master Information Block: MIB、Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００４７】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。また、ＡＣＫ／ＮＡＣＫは、ＨＡＲＱ−ＡＣＫとも呼称する。端末装置２は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４８】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００４９】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００５０】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５１】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５２】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５３】
また、上りリンクに対するＤＣＩフォーマットは、下りリンクのチャネル状態情報（CSI: Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding type Indicator）などが該当する。
【００５４】
また、上りリンクに対するＤＣＩフォーマットは、端末装置が基地局装置にフィードバックするチャネル状態情報報告（CSI feedback report）をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５５】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告または前記不定期的なチャネル状態情報報告のいずれかを設定することができる。また、基地局装置は、前記定期的なチャネル状態情報報告および前記不定期的なチャネル状態情報報告の両方を設定することもできる。
【００５６】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えば、Wideband CQI）と狭帯域ＣＳＩ（例えば、Subband CQI）などがある。
【００５７】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５９】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６０】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００６１】
ここで、ＲＲＣメッセージおよび／またはＭＡＣ  ＣＥを、上位層の信号（higher layer signaling）とも称する。
【００６２】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００６３】
下りリンクのチャネル状態情報報告の種類は広帯域ＣＳＩ（例えば、Wideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００６４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６５】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６６】
ここで、下りリンク参照信号には、ＣＲＳ（Cell-specific Reference Signal: セル固有参照信号）、ＰＤＳＣＨに関連するＵＲＳ（UE-specific Reference Signal: 端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６９】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００７０】
ＺＰ  ＣＳＩ−ＲＳのリソースは、基地局装置１Ａ、が設定する。基地局装置１Ｂは、ＺＰ  ＣＳＩ−ＲＳをゼロ出力で送信する。つまり、基地局装置１Ａは、ＺＰ  ＣＳＩ−ＲＳを送信しない。基地局装置１Ｂは、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置２Ｂは、干渉を測定することができる。
【００７１】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００７２】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７３】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００７４】
基地局装置は、１つの端末装置に対して複数のビームフォーミング（プリコーディング）をすることができる。例えば、基地局装置は、水平方向のビームフォーミング（プリコーディング）および／または垂直方向のビームフォーミング（プリコーディング）をすることができる。また、例えば、水平方向、垂直方向に関わらず送信アンテナ（アンテナポート）を複数のサブセットに分け、１つの端末装置に対して、各アンテナポートのサブセットでビームフォーミング（プリコーディング）することができる。ビームフォーミングはアナログビームフォーミングでもデジタルビームフォーミングでもどちらでも可能である。端末装置は、複数のサブセットに対して少なくとも１つのＣＳＩを報告することができる。以下、説明の簡便性のため、基地局装置は、１つの端末装置に対して最大２つのビームフォーミング（プリコーディング）する場合を説明するが、本発明はこれに限らず、１つの端末装置に対して２より大きい複数のプリコーディングする場合も本発明に含まれる。端末装置は、最大２つのアンテナポートのサブセットに対するＣＳＩを報告するが、各ＣＳＩをＣＳＩ−１、ＣＳＩ−２とも称する。例えば、ＣＳＩ−１は水平方向のビームフォーミングに対するＣＳＩ、ＣＳＩ−２は垂直方向のビームフォーミングに対するＣＳＩを表す場合もある。なお、端末装置は、各アンテナポートのサブセットを意識しても意識しなくても良い。例えば、端末装置は、水平方向のビームフォーミングや垂直方向のビームフォーミングを意識しても良いし、意識しなくても良い。つまり、端末装置は、水平方向のプリコーディングであることを期待（想定）してＣＳＩ−１を求めても良いし、水平方向のプリコーディングであることを期待せずにＣＳＩ−１を求めても良い。また、端末装置は、垂直方向のプリコーディングであることを期待してＣＳＩ−２を求めても良いし、垂直方向のプリコーディングであることを期待せずにＣＳＩ−２を求めても良い。なお、ＣＳＩ−１に関連するＣＱＩ、ＰＭＩ、ＲＩ、ＰＴＩを、それぞれＣＱＩ−１、ＰＭＩ−１、ＲＩ−１、ＰＴＩ−１とも称する。また、ＣＳＩ−２に関連するＣＱＩ、ＰＭＩ、ＲＩ、ＰＴＩを、それぞれＣＱＩ−２、ＰＭＩ−２、ＲＩ−２、ＰＴＩ−２とも称する。また、ＣＳＩ−１／ＣＳＩ−２を単にＣＳＩと称することもある。
【００７５】
４アンテナポートに対して別のコードブックが利用可能な設定の場合（alternativeCodeBookEnabledFor4TX-r12=TRUEが設定されている場合）、端末装置は、第１のＰＭＩ（first PMI）および第２のＰＭＩ（second PMI）を基地局装置に報告する。８アンテナポートの場合は、端末装置は、第１のＰＭＩおよび第２のＰＭＩを基地局装置に報告する。なお、ＣＳＩ−１に対する第１のＰＭＩ、第２のＰＭＩをそれぞれ第１のＰＭＩ−１、第２のＰＭＩ−１とも称する。また、ＣＳＩ−２に対する第１のＰＭＩ、第２のＰＭＩをそれぞれ第１のＰＭＩ−２、第２のＰＭＩ−２とも称する。
【００７６】
基地局装置は、ＣＳＩ−１および／またはＣＳＩ−２の報告に関する設定を上位層のシグナリングに含めることができる。基地局装置は、ＰＭＩ−１とＰＭＩ−２では、同じコードブックまたは異なるコードブックを用いてＰＭＩ値を求めるように上位層で設定することができる。ＰＭＩ−１の値を求めるために用いるコードブックをコードブック−１、ＰＭＩ−２の値を求めるために用いるコードブックをコードブック−２とも称する。基地局装置は、端末装置にコードブック−１とコードブック−２のどちらを用いてＰＭＩ値を求めるかを上位層で設定することができる。コードブック−２はコードブック−１よりもサイズ（ビット数）を少なくすることができる。また、コードブック−２はコードブック−１のサブセットとすることができる。このとき、ＣＳＩ−１のフィードバック情報量は、ＣＳＩ−２のフィードバック情報量よりも少なくできる。コードブック−１のサイズとコードブック−２のサイズが異なっていても、端末装置は、ＣＳＩ−１とＣＳＩ−２は同じ情報量で送信しても良い。
【００７７】
基地局装置が、第１のＰＭＩ−１／第２のＰＭＩ−１、および、第１のＰＭＩ−２／第２のＰＭＩ−２を報告するように設定した場合、端末装置は、第１のＰＭＩ−２／第２のＰＭＩ−２は、第１のＰＭＩ−１／第２のＰＭＩ−１に対するコードブックよりもサイズの小さいコードブックから求めることができる。この場合、第１のＰＭＩ−２／第２のＰＭＩ−２に対応するコードブックは、第１のＰＭＩ−１／第２のＰＭＩ−１に対応するコードブックのサブセットとすることができる。
【００７８】
基地局装置は、上位レイヤのシグナリングに、少なくともチャネル測定のためのＣＳＩ−ＲＳ（CSI-Reference Signal）と干渉測定のためのＣＳＩ−ＩＭ（CSI-Interference Measurement）を関連付けて、チャネル状態情報を算出する手順に関する設定（CSIプロセス）を含めることができる。ＣＳＩプロセスには、そのＣＳＩプロセスＩＤを含めることができる。基地局装置は、１つ以上のＣＳＩプロセスを設定することができる。端末装置は、ＣＳＩを前記ＣＳＩプロセス毎に独立して生成し、独立にフィードバック（レポート）することができる。基地局装置は、ＣＳＩプロセス毎にＣＳＩ-ＲＳリソースとＣＳＩ−ＩＭを異なる設定にすることができる。端末装置は、１つ以上のＣＳＩプロセスが設定され、設定されたＣＳＩプロセス毎に独立にＣＳＩ報告を行なう。また、ＣＳＩプロセスは、所定の送信モードにおいて設定される。
【００７９】
サービングセルに対して、あるＣＳＩプロセスに対してＰＭＩ／ＲＩ報告を伴う所定の送信モードが設定された端末装置は、そのＣＳＩプロセスに対してＲＩ参照ＣＳＩプロセスを設定される可能性がある。端末装置がＣＳＩプロセスに対してＲＩ参照ＣＳＩプロセスが設定された場合、そのＣＳＩプロセスに対して報告されたＲＩは、設定されたＲＩ参照ＣＳＩプロセスに対して報告されたＲＩと同じである。ＲＩ参照ＣＳＩプロセスに対するＲＩは、ＲＩ参照ＣＳＩプロセス以外の他の設定されたＣＳＩプロセスには基づかない。端末装置は、そのＣＳＩプロセスに関連するＣＳＩを含むＣＳＩ報告と設定されたＲＩ参照ＣＳＩプロセスに関連するＣＳＩを含まないＣＳＩ報告をしているあるサブフレームに対して非定期のＣＳＩ報告要求を受信することを期待しない。
【００８０】
端末装置が、あるＣＳＩプロセスに対してＲＩ参照ＣＳＩプロセスが設定されている場合、かつ、サブフレームセットCCSI,0、CCSI,１がＣＳＩプロセスの中の１つだけに対して上位層で設定されている場合、端末装置は、２つのサブフレームセット間でプリコーダコードブックサブセット制限に伴う制限されたＲＩの異なるセットを持つサブフレームサブセットで設定されたＣＳＩプロセスに対する設定を受信することを期待しない。端末装置は、ある設定が異なるＣＳＩプロセスとＲＩ参照ＣＳＩプロセスに対する設定を受信することを期待しない。端末装置がＣＳＩプロセスとＲＩ参照ＣＳＩプロセスとで異なることを期待しない設定とは、非定期的なＣＳＩ報告モード、および／または、ＣＳＩ−ＲＳアンテナポート数、および／または、ＣＳＩプロセスおよびＲＩ参照ＣＳＩプロセスに対してサブフレームセットCCSI,0、CCSI,１が設定されていない場合のプリコーダコードブックサブセット制限で制限されたＲＩのセット、および／または、ＣＳＩプロセスおよびＲＩ参照ＣＳＩプロセスに対してサブフレームセットCCSI,0、CCSI,１が設定されている場合の各サブフレームセットに対するプリコーダコードブックサブセット制限で制限されたＲＩのセット、および／または、サブフレームセットCCSI,0、CCSI,１がＣＳＩプロセスとＲＩ参照ＣＳＩプロセスのうちの一方のみに対して上位層で設定され、かつ、２つのサブフレームセットに対する制限されたＲＩのセットが同じ場合のプリコーダコードブックサブセット制限で制限されたＲＩのセットである。
【００８１】
また、基地局装置は、端末装置に対して、複数のＣＳＩプロセスを設定し、複数のＣＳＩプロセスのうち、所定のＣＳＩプロセスは、他のＣＳＩプロセスのＰＭＩに関して関連付けることができる。
【００８２】
サービングセルに対して、あるＣＳＩプロセスに対してＰＭＩ／ＲＩ報告を伴う所定の送信モードが設定された端末装置は、そのＣＳＩプロセスに対してＰＭＩ参照ＣＳＩプロセスを設定される可能性がある。端末装置がＣＳＩプロセスに対してＰＭＩ参照ＣＳＩプロセスが設定された場合、そのＣＳＩプロセスに対して報告されたＰＭＩは、設定されたＰＭＩ参照ＣＳＩプロセスに対して報告されたＰＭＩと同じである。ＰＭＩ参照ＣＳＩプロセスに対するＰＭＩは、ＰＭＩ参照ＣＳＩプロセス以外の他の設定されたＣＳＩプロセスには基づかない。端末装置は、そのＣＳＩプロセスに関連するＣＳＩを含むＣＳＩ報告と設定されたＰＭＩ参照ＣＳＩプロセスに関連するＣＳＩを含まないＣＳＩ報告をしているあるサブフレームに対して非定期のＣＳＩ報告要求を受信することを期待しない。
【００８３】
端末装置が、あるＣＳＩプロセスに対してＰＭＩ参照ＣＳＩプロセスが設定されている場合、かつ、サブフレームセットCCSI,0、CCSI,１がＣＳＩプロセスの中の１つだけに対して上位層で設定されている場合、端末装置は、２つのサブフレームセット間でプリコーダコードブックサブセット制限に伴う制限されたＰＭＩの異なるセットを持つサブフレームサブセットで設定されたＣＳＩプロセスに対する設定を受信することを期待しない。端末装置は、ある設定が異なるＣＳＩプロセスとＰＭＩ参照ＣＳＩプロセスに対する設定を受信することを期待しない。端末装置がＣＳＩプロセスとＰＭＩ参照ＣＳＩプロセスとで異なることを期待しない設定とは、非定期的なＣＳＩ報告モード、および／または、ＣＳＩ−ＲＳアンテナポート数、および／または、ＣＳＩプロセスおよびＰＭＩ参照ＣＳＩプロセスに対してサブフレームセットCCSI,0、CCSI,１が設定されていない場合のプリコーダコードブックサブセット制限で制限されたＰＭＩのセット、および／または、ＣＳＩプロセスおよびＰＭＩ参照ＣＳＩプロセスに対してサブフレームセットCCSI,0、CCSI,１が設定されている場合の各サブフレームセットに対するプリコーダコードブックサブセット制限で制限されたＰＭＩのセット、および／または、サブフレームセットCCSI,0、CCSI,１がＣＳＩプロセスとＰＭＩ参照ＣＳＩプロセスのうちの一方のみに対して上位層で設定され、かつ、２つのサブフレームセットに対する制限されたＰＭＩのセットが同じ場合のプリコーダコードブックサブセット制限で制限されたＰＭＩのセットである。
【００８４】
なお、サービングセルに対して、あるＣＳＩプロセスに対してＰＭＩ／ＲＩ報告を伴う所定の送信モードが設定された端末装置は、そのＣＳＩプロセスに対して、ＲＩ参照ＣＳＩプロセスおよび／またはＰＭＩ参照ＣＳＩプロセスをそれぞれ独立に設定される可能性がある。その場合、その端末装置は、そのＣＳＩプロセスに対して設定されたＲＩ参照ＣＳＩプロセスおよび／またはＰＭＩ参照ＣＳＩプロセスに基づいて、本実施形態で説明した方法を用いてＣＳＩ報告を行なう。
【００８５】
また、サービングセルに対して、あるＣＳＩプロセスに対してＰＭＩ／ＲＩ報告を伴う所定の送信モードが設定された端末装置は、そのＣＳＩプロセスに対して、ＲＩ−ＰＭＩ参照ＣＳＩプロセスが設定される可能性がある。端末装置がＣＳＩプロセスに対してＲＩ−ＰＭＩ参照ＣＳＩプロセスが設定された場合、そのＣＳＩプロセスに対して報告されたＲＩおよびＰＭＩは、設定されたＲＩ−ＰＭＩ参照ＣＳＩプロセスに対して報告されたＲＩおよびＰＭＩと同じである。ＲＩ−ＰＭＩ参照ＣＳＩプロセスに対するＲＩおよびＰＭＩは、ＲＩ−ＰＭＩ参照ＣＳＩプロセス以外の他の設定されたＣＳＩプロセスには基づかない。端末装置は、そのＣＳＩプロセスに関連するＣＳＩを含むＣＳＩ報告と設定されたＲＩ−ＰＭＩ参照ＣＳＩプロセスに関連するＣＳＩを含まないＣＳＩ報告をしているあるサブフレームに対して非定期のＣＳＩ報告要求を受信することを期待しない。
【００８６】
端末装置が、あるＣＳＩプロセスに対してＲＩ−ＰＭＩ参照ＣＳＩプロセスが設定されている場合、かつ、サブフレームセットCCSI,0、CCSI,１がＣＳＩプロセスの中の１つだけに対して上位層で設定されている場合、端末装置は、２つのサブフレームセット間でプリコーダコードブックサブセット制限に伴う制限されたＲＩおよびＰＭＩの異なるセットを持つサブフレームサブセットで設定されたＣＳＩプロセスに対する設定を受信することを期待しない。端末装置は、ある設定が異なるＣＳＩプロセスとＲＩ−ＰＭＩ参照ＣＳＩプロセスに対する設定を受信することを期待しない。端末装置がＣＳＩプロセスとＲＩ−ＰＭＩ参照ＣＳＩプロセスとで異なることを期待しない設定とは、非定期的なＣＳＩ報告モード、および／または、ＣＳＩ−ＲＳアンテナポート数、および／または、ＣＳＩプロセスおよびＲＩ−ＰＭＩ参照ＣＳＩプロセスに対してサブフレームセットCCSI,0、CCSI,１が設定されていない場合のプリコーダコードブックサブセット制限で制限されたＲＩおよびＰＭＩのセット、および／または、ＣＳＩプロセスおよびＲＩ−ＰＭＩ参照ＣＳＩプロセスに対してサブフレームセットCCSI,0、CCSI,１が設定されている場合の各サブフレームセットに対するプリコーダコードブックサブセット制限で制限されたＲＩおよびＰＭＩのセット、および／または、サブフレームセットCCSI,0、CCSI,１がＣＳＩプロセスとＲＩ−ＰＭＩ参照ＣＳＩプロセスのうちの一方のみに対して上位層で設定され、かつ、２つのサブフレームセットに対する制限されたＲＩおよびＰＭＩのセットが同じ場合のプリコーダコードブックサブセット制限で制限されたＲＩおよびＰＭＩのセットである。
【００８７】
基地局装置は、ＰＭＩ−１および／またはＰＭＩ−２に対してＰＭＩ参照ＣＳＩプロセス（以降、RI参照CSIプロセスおよびRI-PMI参照CSIプロセスも含む）を設定することができる。また、基地局装置は、ＰＭＩ−１、ＰＭＩ−２に対するＰＭＩ参照ＣＳＩプロセスを端末装置が区別できるように設定することができる。なお、ＰＭＩ−１に対するＰＭＩ参照ＣＳＩプロセスをＰＭＩ−１参照ＣＳＩプロセスとも称する。また、ＰＭＩ−２に対するＰＭＩ参照ＣＳＩプロセスをＰＭＩ−２参照ＣＳＩプロセスとも称する。基地局装置は、ＰＭＩ−１参照ＣＳＩプロセスとＰＭＩ−２参照ＣＳＩプロセスは異なるＣＳＩプロセスを設定することができる。つまり、基地局装置は、ＰＭＩ−１参照ＣＳＩプロセスＩＤとＰＭＩ−２参照ＣＳＩプロセスＩＤは異なるように設定することができる。
【００８８】
端末装置は、ＰＭＩ参照ＣＳＩプロセスが設定されている場合、ＰＭＩを求めるためのコードブックを切り替えることができる。例えば、端末装置は、ＰＭＩ参照ＣＳＩプロセスが設定された場合、設定されたＰＭＩ参照ＣＳＩプロセスがＰＭＩ−１のためのＰＭＩ参照ＣＳＩプロセスであることを期待して、コードブック−２を用いてＰＭＩを求めることができる。また例えば、端末装置は、ＰＭＩ参照ＣＳＩプロセスが設定された場合、設定されたＰＭＩ参照ＣＳＩプロセスがＰＭＩ−２のためのＰＭＩ参照ＣＳＩプロセスであることを期待して、コードブック−１を用いてＰＭＩを求めることができる。また例えば、ＰＭＩ−１参照ＣＳＩプロセスが設定された場合、端末装置は、コードブック−２を用いてＰＭＩを求めることができる。また例えば、ＰＭＩ−２参照ＣＳＩプロセスが設定された場合、端末装置は、コードブック−１を用いてＰＭＩを求めることができる。
【００８９】
基地局装置は、ＣＳＩ−１および／またはＣＳＩ−２の報告のためにＣＳＩプロセスを設定することができる。基地局装置は、１つのＣＳＩプロセスでＣＳＩ−１およびＣＳＩ−２を報告するように設定することができる。また、基地局装置は、ＣＳＩ−１を報告するためのＣＳＩプロセス（ＣＳＩプロセス−１）、ＣＳＩ−２を報告するためのＣＳＩプロセス（ＣＳＩプロセス−２）を設定することができる。
【００９０】
基地局装置が、１つのＣＳＩプロセスでＣＳＩ−１およびＣＳＩ−２を報告するように設定した場合、端末装置は、ＣＳＩ−１とＣＳＩ−２を複合的に算出することができる。例えば、端末装置は、ＰＭＩ−１を選択し、選択したＰＭＩ−１を想定してＰＭＩ−２を求め、ＣＱＩを求めることができる。また、例えば、端末装置は、ＰＭＩ−２を選択し、選択したＰＭＩ−２を想定してＰＭＩ−１を求め、ＣＱＩを求めることができる。また、基地局装置が、１つのＣＳＩプロセスでＣＳＩ−１およびＣＳＩ−２を報告するように設定した場合、端末装置は、ＣＳＩ−１とＣＳＩ−２を独立に算出することができる。このとき、基地局装置は、ＣＳＩ−１とＣＳＩ−２を算出するためのＣＳＩ−ＲＳ構成を異なるように設定することができる。
【００９１】
基地局装置が、ＣＳＩプロセス−１／ＣＳＩプロセス−２を設定する場合、端末装置は各ＣＳＩプロセスに対応するＣＳＩ（つまりＣＳＩ−１／ＣＳＩ−２）を基地局装置に報告する。基地局装置が、ＣＳＩプロセス−１／ＣＳＩプロセス−２でＰＭＩ参照ＣＳＩプロセスＩＤを設定することができる。このとき、端末装置は、設定されたＰＭＩ参照ＣＳＩプロセスＩＤを持つＣＳＩプロセスにおけるＰＭＩ値を引継ぎ、引き継いだＰＭＩを想定してＣＱＩを求めることができる。例えば、ＣＳＩプロセス−２でＰＭＩ参照ＣＳＩプロセスＩＤが設定され、そのＰＭＩ参照ＣＳＩプロセスＩＤがＣＳＩプロセス−１のＣＳＩプロセスＩＤを示している場合、端末装置は、ＣＳＩプロセス−１で求めたＰＭＩ−１を想定して、ＰＭＩ−２を求めることができる。また、例えば、ＣＳＩプロセス−１でＰＭＩ参照ＣＳＩプロセスＩＤが設定され、そのＰＭＩ参照ＣＳＩプロセスＩＤがＣＳＩプロセス−２のＣＳＩプロセスＩＤを示している場合、端末装置は、ＣＳＩプロセス−２で求めたＰＭＩ−２を想定して、ＰＭＩ−１を求めることができる。
【００９２】
基地局装置は、少なくとも複数のＣＳＩプロセスを含むＣＳＩプロセスセットを設定することができる。ＣＳＩプロセスセットに含まれるＣＳＩプロセスは、少なくともＰＭＩに関して関連付けられる。端末装置は、番号（例えば、プロセスID）の小さいＣＳＩプロセスで求めたＰＭＩを想定して、他のＣＳＩプロセスのＣＱＩ／ＰＭＩを求めることができる。例えば、ＣＳＩプロセス−１とＣＳＩプロセス−２がＣＳＩプロセスセットとして設定されている場合、端末装置は、ＣＳＩプロセス−１で求めたＰＭＩを想定して、ＣＳＩプロセス−２のＣＱＩ／ＰＭＩを求めることができる。また、端末装置は、ＣＳＩプロセスセットに含まれる複数のＣＳＩプロセスを考慮して、１つのＰＭＩを選択し、選択したＰＭＩを想定して、各ＣＳＩプロセスのＣＱＩを求めることができる。また、端末装置は、ＣＳＩプロセスセット毎にＣＳＩを報告することができる。また、端末装置は、ＣＳＩプロセスセットに含まれるＣＳＩプロセス間でＲＩを関連付けることができる。
【００９３】
基地局装置は、ＣＳＩ−ＲＳにプリコーディングして送信することができる。例えば、基地局装置は、ＣＳＩ−ＲＳに、垂直方向のプリコーディングを施すことができるし、水平方向および垂直方向のプリコーディングを施すことができる。基地局装置は、各ＣＳＩ−ＲＳポートで、プリコーディングしたＣＳＩ−ＲＳを送信することができる。例えば、各ＣＳＩ−ＲＳポートは水平方向の配置であり、各ＣＳＩ−ＲＳポートでは垂直方向のプリコーディングが施される。また、基地局装置は、ＣＳＩ−ＲＳポート毎にプリコーディングパターンを変えることもできるし、ＣＳＩ−ＲＳポート毎に同じプリコーディングパターンを用いることもできる。端末装置がＣＱＩ／ＰＭＩ／ＲＩを報告すれば、基地局装置は、その端末装置における各ＣＳＩ−ＲＳポートに対する好適なプリコーディング（例えば、垂直方向プリコーディングパターン）とＣＳＩ−ＲＳポート方向の好適なプリコーディング（例えば、水平方向のPMI）を知ることができる。ただし、ＣＳＩ−ＲＳポートに対して、プリコーディングをする場合であっても、水平方向／垂直方向のプリコーディングに限らない。
【００９４】
基地局装置は、ＣＳＩプロセス毎に１種類のＣＳＩ−ＲＳ構成を設定し、設定したＣＳＩ−ＲＳのプリコーディングパターンを変えることができる。端末装置は、ＣＳＩプロセス毎に基地局装置にＣＳＩを報告するが、基地局装置は、例えば、ＣＱＩが最も大きいＣＳＩプロセスに対応するプリコーディングパターンを端末装置に用いれば、端末装置との間で高品質な通信をすることができ、スループットを向上させることができる。この場合、端末装置は、ＣＳＩ−ＲＳにプリコーディングが施されているか否かを意識する必要はない。
【００９５】
一般に、プリコーディングパターンが多い方が、精度の高いプリコーディングパターンを選択できる。従って、ＣＳＩ−ＲＳにプリコーディングする場合、設定可能なＣＳＩプロセス数は多い方が望ましい。基地局装置は、ＣＳＩ−ＲＳにプリコーディングしない場合と比べて、ＣＳＩ−ＲＳにプリコーディングする場合の方が、設定可能なＣＳＩプロセス数を多くすることができる。この場合、端末装置は、複数設定されたＣＳＩプロセスのうち好適な一部のみを基地局装置に報告することができる。端末装置が報告するＣＳＩプロセス数は、１つなど予め決められていても良いし、基地局装置が設定することもできる。
【００９６】
基地局装置は、サブバンド毎にＣＳＩ−ＲＳのプリコーディングパターンを変えることができる。例えば、基地局装置は、狭帯域のＣＱＩを報告するモードを設定し、端末装置は、システム帯域におけるサブバンド毎のＣＱＩ、もしくは、端末装置が選択したＣＱＩ値およびその位置（選択したサブバンドを示す情報）を基地局装置に報告する。基地局装置は、端末装置から報告されたＣＳＩによって、どのプリコーディングパターンが良いか判断することができる。
【００９７】
基地局装置は、サブフレーム毎およびサブバンド毎にＣＳＩ−ＲＳに適用するプリコーディングパターンを変えることができる。また、基地局装置は、特定のサブフレームについては、ＣＳＩ−ＲＳをプリコーディングせずに送信できる。基地局装置は、プリコーディングせずに送信するＣＳＩ−ＲＳに関する情報を、ＣＳＩプロセス等に関連付けて端末装置にシグナリングすることができる。端末装置は、プリコーディングせずに送信されたＣＳＩ−ＲＳと、プリコーディングされずに送信されたＣＳＩ−ＲＳに基づいて、サブバンド毎にＣＱＩを基地局装置に報告する。基地局装置は、プリコーディングして送信したＣＳＩ−ＲＳに基づいて端末装置より報告されたサブバンド毎のＣＱＩと、プリコーディングせずに送信したＣＳＩ−ＲＳに基づいて端末装置より報告されたサブバンド毎のＣＱＩの差分に基づいて、どのプリコーディングパターンが良いかを判断することができる。また、端末装置は、プリコーディングされて送信されたＣＳＩ−ＲＳに基づいて、サブバンド毎にＣＱＩを基地局装置に報告する際に、プリコーディングせずに送信されたＣＳＩ−ＲＳに基づいて基地局装置に報告した、もしくは当該ＣＳＩプロセスとして報告したサブバンド毎のＣＱＩとの差分値（差分CQI値）を報告することができる。基地局装置は、端末装置より報告された差分ＣＱＩ値によって、どのプリコーディングパターンが良いかを判断することができる。端末装置は、さらにワイドバンドのＣＱＩを基地局装置に報告しても良い。
【００９８】
基地局装置がサブバンド毎にＣＳＩ−ＲＳのプリコーディングパターンを変える場合、端末装置は、そのサブバンドにマッピングされるＣＳＩ−ＲＳのみを用いて、そのサブバンドにおけるＣＳＩを求める。すなわち、端末装置は、そのサブバンドにおけるＣＳＩを求める場合、そのサブバンド以外にマッピングされるＣＳＩ−ＲＳを用いない。例えば、端末装置は、サブバンドに対するＣＳＩ報告のモードが設定され、ＣＳＩ−ＲＳに関する所定のモードおよび／または送信モードが設定される場合、そのサブバンドにマッピングされるＣＳＩ−ＲＳのみを用いて、そのサブバンドにおけるＣＳＩを求める。言い換えると、端末装置は、そのサブバンドにマッピングされるＣＳＩ−ＲＳと、そのサブバンド以外にマッピングされるＣＳＩ−ＲＳとは、同じチャネル（伝搬路特性、チャネル状態）であるとは想定しない。言い換えると、端末装置は、そのサブバンドにマッピングされるＣＳＩ−ＲＳと、そのサブバンド以外にマッピングされるＣＳＩ−ＲＳとは、異なるチャネル（伝搬路特性、チャネル状態）であると想定する。言い換えると、端末装置は、少なくともそのサブバンドにマッピングされるＣＳＩ−ＲＳのみが、同じチャネル（伝搬路特性、チャネル状態）であると想定する。
【００９９】
基地局装置は、狭帯域のＣＱＩ／ＰＭＩのみの報告を要求するモードを設定することができる。基地局装置は、セカンダリセル（Secondary Cell: SCell）で狭帯域のＣＱＩ／ＰＭＩのみの報告を要求するモードを設定することができる。つまり、端末装置は、ＰＣｅｌｌに対しては広帯域ＣＱＩ／狭帯域ＣＱＩを報告し、ＳＣｅｌｌに対しては狭帯域ＣＱＩを報告することができる。
【０１００】
基地局装置は、ＰＵＳＣＨで上位層が設定するサブバンドフィードバック（Higher Layer-configured subband feedback）における狭帯域のＣＱＩの報告を要求するモードを設定することができる。この場合、端末装置は、例えば、システム帯域のサブバンド毎に狭帯域ＣＱＩを報告する。この狭帯域ＣＱＩはＲＩ＞１のときでも、第１のコードワードに対するチャネル品質を表す。また、この場合、端末装置は、狭帯域ＣＱＩ値はインデックスを報告することができる。また、端末装置は、基準となるサブバンドでは狭帯域ＣＱＩ値のインデックスとし、他のサブバンドでは差分ＣＱＩ値とすることもできる。端末装置は、ＣＱＩ値を算出する際に、ランク１を条件とすることができる。
【０１０１】
基地局装置は、ＰＵＳＣＨで上位層が設定するサブバンドフィードバックにおける狭帯域のＣＱＩおよび複数のＰＭＩの報告を要求するモードを設定することができる。端末装置は、例えば、所定の送信モードで８ＣＳＩ−ＲＳポートが設定された場合もしくは４ポートに対して別のコードブックが利用可能（alternativeCodeBookEnabledFor4TX=TRUE）な設定となっている場合、システム帯域に対する第１のＰＭＩおよびシステム帯域の各サブバンドに対する第２のＰＭＩを報告する。それ以外の場合、端末装置は、システム帯域のサブバンド毎に１つのＰＭＩを報告する。端末装置は、システム帯域のサブバンド毎に、コードワード毎に１つの狭帯域ＣＱＩを報告する。端末装置は、狭帯域ＣＱＩ値をＣＱＩのインデックスとすることもできるし、基準となるサブバンドでは狭帯域ＣＱＩ値のインデックスとし、他のサブバンドでは差分ＣＱＩ値とすることもできる。端末装置は、各サブバンドで選択したＰＭＩを用いて、狭帯域ＣＱＩを計算する。端末装置は、ＰＭＩ／ＣＱＩ値を算出する際に、報告したＲＩを条件とすることもできるし、ランク１を条件とすることもできる。
【０１０２】
基地局装置は、ＰＵＳＣＨで端末装置が選択するフィードバック（UE-selected subband feedback）における狭帯域のＣＱＩの報告を要求するモードを設定することができる。この場合、端末装置は、例えば、システム帯域のサブバンドの中からＭ個の好適なサイズｋのサブバンドを選択し、選択したＭ個のサブバンドにおける伝送を反映した１つのＣＱＩ値を報告する。端末装置は、狭帯域ＣＱＩ値をＣＱＩのインデックスとすることができる。なお、Ｍ、ｋはシステム帯域幅に対して与えられる。また、端末装置は、狭帯域ＣＱＩのみを報告するモードの場合、広帯域ＣＱＩを報告するモードと比較して、小さい値のＭを考慮してＣＱＩを報告することができる。また、狭帯域ＣＱＩのみを報告するモードの場合、システム帯域幅に依らず、端末装置はＭ＝１と想定することもできる。また、端末装置は、選択したＭ個のサブバンドのポジションを報告する。端末装置は、ＣＱＩ値を算出する際に、ランク１を条件とすることができる。
【０１０３】
基地局装置は、ＰＵＳＣＨで端末装置が選択するフィードバックにおける狭帯域のＣＱＩおよび複数のＰＭＩの報告を要求するモードを設定することができる。この場合、端末装置は、例えば、システム帯域のサブバンドの中からＭ個の好適なサイズｋのサブバンドを選択し、選択したＭ個のサブバンドで用いるのに好適なコードブックサブセットから１つの好適なＰＭＩを選択する。端末装置は、選択したＭ個の好適なサブバンドのみの伝送を反映し、選択した同じＰＭＩを用い、コードワード毎に１つのＣＱＩを報告する。端末装置は、報告するＣＱＩ値をＣＱＩのインデックスとすることができる。また、端末装置は、選択したＭ個のサブバンドのポジションを報告する。所定の送信モードで８ＣＳＩ−ＲＳポートが設定された場合もしくは４ポートに対して別のコードブックが利用可能（alternativeCodeBookEnabledFor4TX=TRUE）な設定となっている場合を除いて、端末装置は、Ｍ個の選択したサブバンドに対して好適な１つのＰＭＩおよびシステム帯域の全サブバンドに対して選択した１つのＰＭＩを報告する。所定の送信モードで８ＣＳＩ−ＲＳポートが設定された場合もしくは４ポートに対して別のコードブックが利用可能（alternativeCodeBookEnabledFor4TX=TRUE）な設定となっている場合、端末装置は、システム帯域の全サブバンドに対する第１のＰＭＩを報告する。この場合、端末装置はさらに、システム帯域の全サブバンドに対する第２のＰＭＩおよびＭ個の選択したサブバンドに対する別の第２のＰＭＩを報告する。１つのＰＭＩは、システム帯域のサブバンドでの伝送を仮定するコードブックサブセットから選択される。端末装置は、ＰＭＩ／ＣＱＩ値を算出する際に、報告したＲＩを条件とすることもできるし、ランク１を条件とすることもできる。
【０１０４】
基地局装置は、ＰＵＣＣＨで端末装置が選択するフィードバックにおける狭帯域のＣＱＩの報告を要求するモードを設定することができる。端末装置は、例えば、Ｊ個のバンド幅パートのそれぞれにおけるＮｊサブバンドの集合の中から好適なサブバンドを選択し、タイプ１報告を報告する。Ｊは帯域幅によって決まり、Ｎｊはリソースブロック数、サブバンドサイズおよびＪから求められる。タイプ１報告は、バンド幅パートから対応するＬビットのラベルと共に選択したサブバンドでの伝送を反映する１つのＣＱＩ値を報告する。各バンド幅パートに対するタイプ１報告は、それぞれ、連続する報告の機会で順番に報告される。このＣＱＩはＲＩ＞１のときでも、第１のコードワードに対するチャネル品質を表す。
【０１０５】
基地局装置は、ＰＵＣＣＨで端末装置が選択するフィードバックにおける狭帯域のＣＱＩおよびＰＭＩの報告を要求するモードを設定することができる。端末装置は、システム帯域の全サブバンドに対するＰＭＩを選択し、選択したＰＭＩを想定して求めた、各バンド幅パートに対する好適なサブバンドにおけるＣＱＩを連続する報告の機会で順番に報告する。所定の送信モードに対して、２ＣＳＩ−ＲＳポートおよび４ＣＳＩ−ＲＳポートで別のコードブックが利用可能（alternativeCodeBookEnabledFor4TX=TRUE）な設定となっていない場合に、ＰＭＩが報告されるサブフレームにおいて、ＣＳＩプロセスに対してＰＭＩ参照ＣＳＩプロセスが設定されている場合、そのＣＳＩプロセスに対するＰＭＩは、サブフレームセットに関わらず設定されたＰＭＩ参照ＣＳＩプロセスに対する最新のＰＭＩを含むＣＳＩ報告におけるＰＭＩと同じＰＭＩである。ＰＭＩ参照ＣＳＩプロセスが設定されていない場合、端末装置は、システム帯域のサブバンドでの伝送を仮定してＰＭＩを決定する。所定の送信モードに対して、８ＣＳＩ−ＲＳポートや４ＣＳＩ−ＲＳポートで別のコードブックが利用可能（alternativeCodeBookEnabledFor4TX=TRUE）な設定となっている場合に、ＰＭＩが報告されるサブフレームにおいて、ＣＳＩプロセスに対してＰＭＩ参照ＣＳＩプロセスが設定されている場合、そのＣＳＩプロセスに対するＰＭＩは、サブフレームセットに関わらず設定されたＰＭＩ参照ＣＳＩプロセスに対する最新のＰＭＩを含むＣＳＩ報告におけるＰＭＩと同じＰＭＩである。ＰＭＩ参照ＣＳＩプロセスが設定されていない場合、端末装置は、システム帯域のサブバンドでの伝送を仮定してＰＭＩを決定する。
【０１０６】
基地局装置は、１つのＣＳＩプロセスで複数種類のＣＳＩ−ＲＳ構成を設定することができる。基地局装置はＣＳＩ−ＲＳ構成毎にプリコーディングパターンを変えることができる。この場合、端末装置は、チャネル品質の良いＣＳＩ−ＲＳ構成を選択し、選択されたＣＳＩ−ＲＳ構成に基づく情報を基地局装置に報告する。この場合、基地局装置は、端末装置から報告されたＣＳＩ−ＲＳ構成に基づく情報によって、その端末装置に対して好適なプリコーディングパターンを把握することができる。端末装置は、設定された複数種類のＣＳＩ−ＲＳ構成のうち、１つ／１部／全部のＣＳＩ−ＲＳ構成に基づく情報を報告することもできる。なお、報告するＣＳＩ−ＲＳ構成の数は、予め決まっていても良いし、上位層でシグナリングされても良い。
【０１０７】
以下では、１つのＣＳＩプロセスに複数種類のＣＳＩ−ＲＳ構成が設定され、ＣＳＩ−ＲＳ構成に基づく情報がＣＳＩとして報告される場合の詳細を説明する。ここで、ＣＳＩ−ＲＳ構成は、ＣＳＩ−ＲＳのリソースエレメントに対するマッピングに関する情報である。例えば、ＣＳＩ−ＲＳ構成は、そのＣＳＩ−ＲＳがマッピング（送信）されるサブフレームを示す周期とオフセットの情報を含む。また、ＣＳＩ−ＲＳ構成は、そのＣＳＩ−ＲＳがマッピング（送信）されるサブフレームにおいて、そのＣＳＩ−ＲＳがマッピングされるリソースエレメントを示す情報を含む。
【０１０８】
ＣＳＩ−ＲＳ構成に基づく情報がＣＳＩとして報告される場合のＣＳＩ−ＲＳのアンテナポート数は、１、２、４、および８の全部または一部である。例えば、ＣＳＩ−ＲＳ構成に基づく情報がＣＳＩとして報告される場合のＣＳＩ−ＲＳのアンテナポート数は、１のみにしても良い。すなわち、それぞれのＣＳＩ−ＲＳ構成が示すＣＳＩ−ＲＳは、基地局装置で所定のプリコーディング処理をそれぞれ独立に行なっており、端末装置は設定された複数種類のＣＳＩ−ＲＳ構成から好適なＣＳＩ−ＲＳを選択し報告することで、基地局装置は端末装置における好適なプリコーディング処理を推定できる。
【０１０９】
ＣＳＩ−ＲＳ構成に基づく情報は、予め規定されたＣＳＩ−ＲＳ構成を示すインデックスとすることができる。また、ＣＳＩ−ＲＳ構成に基づく情報は、設定されたＣＳＩ−ＲＳ構成に対して順に設定されたインデックスとすることができる。
【０１１０】
ＣＳＩ−ＲＳ構成に基づく情報がＣＳＩとして報告される場合、ＣＳＩはそのＣＳＩ−ＲＳ構成に基づく情報と、そのＣＳＩ−ＲＳ構成が示すＣＳＩ−ＲＳに基づいて決まるＣＱＩとを少なくとも含む。すなわち、そのＣＳＩ−ＲＳ構成が示すＣＳＩ−ＲＳで送信されることを想定した場合のＣＱＩが生成され、報告される。
【０１１１】
ＣＳＩ−ＲＳ構成に基づく情報は、ＰＭＩ、ＲＩおよび／またはＰＴＩを報告するためのリソース（フィールド、チャネル、サブフレーム、リソースブロック）を用いて、報告されても良い。また、ＣＳＩ−ＲＳ構成に基づく情報は、ＰＭＩ、ＲＩおよび／またはＰＴＩとジョイントコーディングされて、１つのＣＳＩとして生成され、報告されても良い。
【０１１２】
ＣＳＩ−ＲＳ構成に基づく情報は、所定のＣＳＩ報告モードおよび／または所定の送信モードの場合のみに報告されることができる。
【０１１３】
基地局装置は、複数のＣＳＩ−ＲＳアンテナポートを利用する場合に、各ＣＳＩ−ＲＳアンテナポートより送信するＣＳＩ−ＲＳに、異なるプリコーディングパターンを適用することができる。端末装置は、各ＣＳＩ−ＲＳアンテナポートのＣＱＩを、それぞれ基地局装置に報告することができる。例えば、端末装置は、コードワード毎にＣＳＩをフィードバックするように設定されている場合、ＣＳＩ−ＲＳアンテナポート１のＣＱＩをコードワード１のＣＱＩとして基地局装置に報告し、ＣＳＩ−ＲＳアンテナポート２のＣＱＩをコードワード２のＣＱＩとして基地局装置に報告することができる。基地局装置は、各コードワードのＣＱＩとして端末装置より報告されたＣＱＩによって、その端末装置に対して好適なプリコーディングパターンを把握することができる。また、端末装置１は、最も品質の良好なＣＳＩ−ＲＳアンテナポートのＣＱＩをコードワード１のＣＱＩとして基地局装置に報告し、該ＣＳＩ−ＲＳアンテナポートのポート番号をコードワード２のＣＱＩとして基地局装置に報告することができる。基地局装置は、端末装置より報告されたＣＱＩとアンテナポート番号により、その端末装置に対して好適なプリコーディングパターンを把握することができる。なお、端末装置がサブバンド毎の差分ＣＱＩ値を求める基準は、前述してきたプリコーディングされずに送信されたＣＳＩ−ＲＳに基づいて求めたサブバンドＣＱＩやワイドバンドＣＱＩを基準とできるし、他のプリコーディングされずに送信されたＲＳ（例えば、CRS）に基づいて求めたサブバンドＣＱＩやワイドバンドＣＱＩを基準とできる。
【０１１４】
基地局装置は、端末装置の各受信アンテナに対して、異なるプリコーディングパターンを適用することができる。端末装置は、各受信アンテナにおけるＣＱＩおよび／またはその受信アンテナのインデックスを、それぞれ基地局装置に報告することができる。基地局装置は、端末装置より報告されたＣＱＩおよび／または受信アンテナインデックスによって、その端末装置に対して好適なプリコーディングパターンを把握することができる。なお、端末装置がサブバンド毎の差分ＣＱＩ値を求める基準は、前述してきたプリコーディングされずに送信されたＣＳＩ−ＲＳに基づいて求めたサブバンドＣＱＩやワイドバンドＣＱＩを基準とできるし、他のプリコーディングされずに送信されたＲＳ（例えば、CRS）に基づいて求めたサブバンドＣＱＩやワイドバンドＣＱＩを基準とできる。
【０１１５】
また、基地局装置は、指向性アンテナを用いることや、アンテナチルト角を調整することによって、柔軟なセクタを実現することができる。
【０１１６】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【０１１７】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【０１１８】
上位層処理部１０１は、端末装置の機能（UE capability）等、端末装置に関する情報を端末装置から受信する。言い換えると、端末装置は、自身の機能を基地局装置に上位層の信号で送信する。
【０１１９】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【０１２０】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知しても良い。
【０１２１】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、または上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【０１２２】
スケジューリング部１０１２は、物理チャネル（PDSCHおよびPUSCH）を割り当てる周波数およびサブフレーム、物理チャネル（PDSCHおよびPUSCH）の符号化率および変調方式（あるいは、MCS）および送信電力などを決定する。スケジューリング部１０１２は、決定した情報を制御部１０２に出力する。
【０１２３】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。
【０１２４】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１２５】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１２６】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１２７】
下りリンク参照信号生成部１０３３は、基地局装置１Ａを識別するための物理セル識別子（PCI、セルID）などを基に予め定められた規則で求まる、端末装置２Ａが既知の系列を下りリンク参照信号として生成する。
【０１２８】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１２９】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１３０】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１３１】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１３２】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【０１３３】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１３４】
また、多重分離部１０４２は、ＰＵＣＣＨとＰＵＳＣＨの伝搬路の補償を行なう。また、多重分離部１０４２は、上りリンク参照信号を分離する。
【０１３５】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１３６】
復号部１０４４は、復調されたＰＵＣＣＨとＰＵＳＣＨの符号化ビットを、予め定められた符号化方式の、予め定められた、または自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１３７】
図３は、本実施形態における端末装置２の構成を示す概略ブロック図である。図３に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１３８】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３９】
上位層処理部２０１は、自端末装置がサポートしている端末装置の機能を示す情報を、送信部２０３に出力する。
【０１４０】
無線リソース制御部２０１１は、自端末装置の各種設定情報の管理をする。また、無線リソース制御部２０１１は、上りリンクの各チャネルに配置される情報を生成し、送信部２０３に出力する。
【０１４１】
無線リソース制御部２０１１は、基地局装置から送信されたＣＳＩフィードバックに関する設定情報を取得し、制御部２０２に出力する。
【０１４２】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１４３】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１４４】
制御部２０２は、チャネル状態情報生成部２０５が生成したＣＳＩを基地局装置に送信するように送信部２０３を制御する。
【０１４５】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１４６】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１４７】
また、無線受信部２０４１は、変換したディジタル信号からＣＰに相当する部分を除去し、ＣＰを除去した信号に対して高速フーリエ変換を行ない、周波数領域の信号を抽出する。
【０１４８】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１４９】
信号検出部２０４３は、ＰＤＳＣＨ、チャネル推定値を用いて、信号検出し、上位層処理部２０１に出力する。
【０１５０】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１５１】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０１５２】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１５３】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１５４】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１５５】
無線送信部２０３５は、多重された信号を逆高速フーリエ変換（Inverse Fast Fourier Transform: IFFT）して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１５６】
なお、本発明に係る基地局装置および端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５７】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現しても良い。受信装置の各機能ブロックは個別にチップ化しても良いし、一部、または全部を集積してチップ化しても良い。各機能ブロックを集積回路化した場合に、それらを制御する集積回路制御部が付加される。
【０１５８】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５９】
なお、本願発明は上述の実施形態に限定されるものではない。本願発明の端末装置は、移動局装置への適用に限定されるものではなく、屋内外に設置される据え置き型、または非可動型の電子機器、例えば、ＡＶ機器、キッチン機器、掃除・洗濯機器、空調機器、オフィス機器、自動販売機、その他生活機器などに適用出来ることは言うまでもない。
【０１６０】
以上、この発明の実施形態を、図面を参照して詳述してきたが、具体的な構成はこの実施形態に限られるものではなく、この発明の要旨を逸脱しない範囲の設計等も請求の範囲に含まれる。
【産業上の利用可能性】
【０１６１】
本発明は、基地局装置、端末装置および通信方法に用いて好適である。【０１６２】
なお、本国際出願は、２０１４年１１月６日に出願した日本国特許出願第２０１４−２２５６９０号に基づく優先権を主張するものであり、日本国特許出願第２０１４−２２５６９０号の全内容を本国際出願に援用する。
【符号の説明】
【０１６３】
１Ａ、１Ｂ  基地局装置
２Ａ、２Ｂ、２Ｃ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2016072389.tif 000003
【図２】
2016072389.tif 000004
【図３】
2016072389.tif 000005
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
端末装置と通信する基地局装置であって、
チャネル状態情報参照信号(CSI-RS)、及び複数のCSI-RS構成を示す情報を前記端末装置に送信する送信部と、
前記CSI-RSから生成されたチャネル状態情報を前記端末装置から受信する受信部と、を備え、
前記CSI-RS構成を示す情報は、前記CSI-RSがマッピングされるサブフレームにおいてリソースエレメントを示す情報であり、
前記受信部は前記複数のCSI-RS構成のうち１つを示す情報を含む前記チャネル状態情報を受信する、
基地局装置。
【請求項２】
前記受信部は前記複数のCSI-RS構成のうち１つを示す情報に基づいて算出されたチャネル品質指標を含む前記チャネル状態情報を受信する、
請求項１に記載の基地局装置。
【請求項３】
前記受信部は前記複数のCSI-RS構成のうち１つを示す情報及びランク指標を同じサブフレームで受信する、
請求項１に記載の基地局装置。
【請求項４】
前記受信部は前記複数のCSI-RS構成のうち１つを示す情報、ランク指標及びプリコーディング行列指標を同じサブフレームで受信する、
請求項１に記載の基地局装置。
【請求項５】
前記受信部は前記複数のCSI-RS構成のうち１つを示す情報、ランク指標及びプリコーディングタイプ指標を同じサブフレームで受信する、
請求項１に記載の基地局装置。
【請求項６】
前記送信部は、１つのCSI-RS構成を示す情報を前記端末装置に送信し、
前記CSI-RS構成を示す情報を複数送信する場合、前記チャネル状態情報は、前記複数のCSI-RS構成のうち１つを示す情報を含み、
前記CSI-RS構成を示す情報を１つ送信する場合、前記チャネル状態情報は、チャネル品質指標、プリコーディング行列指標、ランク指標、及びプリコーディングタイプ指標のうち少なくとも１つを含む、
請求項１に記載の基地局装置。
【請求項７】
前記複数のCSI-RS構成のうち１つを示す情報は、前記複数のCSI-RS構成を示す情報に対して順に設定された値である、
請求項１に記載の基地局装置。
【請求項８】
前記CSI-RSはビームフォーミングされて送信される、
請求項１に記載の基地局装置。
【請求項９】
前記複数のCSI-RS構成から送信されるCSI-RSのうち少なくとも１つはビームフォーミングパターンが異なる、
請求項８に記載の基地局装置。
【請求項１０】
基地局装置と通信する端末装置であって、
チャネル状態情報参照信号(CSI-RS)及び１又は複数のCSI-RS構成を示す情報を前記基地局装置から受信する受信部と、
前記CSI-RSからチャネル状態情報を生成するチャネル状態情報生成部と、
前記チャネル状態情報を前記基地局装置に送信する送信部と、を備え、
前記CSI-RS構成を示す情報は、前記CSI-RSがマッピングされるサブフレームにおいてリソースエレメントを示す情報であり、
前記受信部が複数のCSI-RS構成を示す情報を受信する場合、前記チャネル状態情報生成部は前記複数のCSI-RS構成のうち１つを示す情報を含む前記チャネル状態情報を生成する、
端末装置。
【請求項１１】
前記受信部が前記複数のCSI-RS構成を示す情報を受信する場合、前記チャネル状態情報生成部は前記複数のCSI-RS構成のうち１つを示す情報に基づいて算出されたチャネル品質指標を含む前記チャネル状態情報を生成する、
請求項１０に記載の端末装置。
【請求項１２】
前記受信部が前記複数のCSI-RS構成を示す情報を受信する場合、前記チャネル状態情報生成部は前記複数のCSI-RS構成のうち１つを示す情報及びランク指標を含む前記チャネル状態情報を生成し、
前記送信部は、前記複数のCSI-RS構成のうち１つを示す情報及びランク指標を同じサブフレームで送信する、
請求項１０に記載の端末装置。
【請求項１３】
前記受信部が前記複数のCSI-RS構成を示す情報を受信する場合、前記チャネル状態情報生成部は前記複数のCSI-RS構成のうち１つを示す情報、ランク指標及びプリコーディング行列指標を含む前記チャネル状態情報を生成し、
前記送信部は、前記複数のCSI-RS構成のうち１つを示す情報、ランク指標及びプリコーディング行列指標を同じサブフレームで送信する、
請求項１０に記載の端末装置。
【請求項１４】
前記受信部が前記複数のCSI-RS構成を示す情報を受信する場合、前記チャネル状態情報生成部は前記複数のCSI-RS構成のうち１つを示す情報、ランク指標及びプリコーディングタイプ指標を含む前記チャネル状態情報を生成し、
前記送信部は、前記チャネル状態情報生成部は前記複数のCSI-RS構成のうち１つを示す情報、ランク指標及びプリコーディングタイプ指標を同じサブフレームで送信する、
請求項１０に記載の端末装置。
【請求項１５】
前記受信部が前記１つのCSI-RS構成を示す情報を受信する場合、前記チャネル状態情報生成部は、チャネル品質指標、プリコーディング行列指標、ランク指標及びプリコーディングタイプ指標のうち少なくとも１つを含む前記チャネル状態情報を生成する、
請求項１０に記載の端末装置。
【請求項１６】
前記複数のCSI-RS構成のうち１つを示す情報は、前記複数のCSI-RS構成を示す情報に対して順に設定された値である、
請求項１０に記載の端末装置。
【請求項１７】
前記受信部は、ビームフォーミングされたCSI-RSを受信する、
請求項１０に記載の端末装置。
【請求項１８】
前記複数のCSI-RS構成で受信するCSI-RSのうち少なくとも１つはビームフォーミングパターンが異なる、
請求項１７に記載の端末装置。
【請求項１９】
端末装置と通信する基地局装置の通信方法であって、
チャネル状態情報参照信号(CSI-RS)、及び複数のCSI-RS構成を示す情報を前記端末装置に送信する送信ステップと、
前記CSI-RSから生成されたチャネル状態情報を前記端末装置から受信する受信ステップと、を有し、
前記CSI-RS構成を示す情報は、前記CSI-RSがマッピングされるサブフレームにおいてリソースエレメントを示す情報であり、
前記受信部は前記複数のCSI-RS構成のうち１つを示す情報を含む前記チャネル状態情報を受信する、
通信方法。
【請求項２０】
基地局装置と通信する端末装置の通信方法であって、
チャネル状態情報参照信号(CSI-RS)及び１又は複数のCSI-RS構成を示す情報を前記基地局装置から受信する受信ステップと、
前記CSI-RSからチャネル状態情報を生成するチャネル状態情報生成ステップと、
前記チャネル状態情報を前記基地局装置に送信する送信ステップと、を有し、
前記CSI-RS構成を示す情報は、前記CSI-RSがマッピングされるサブフレームにおいてリソースエレメントを示す情報であり、
前記受信部が複数のCSI-RS構成を示す情報を受信する場合、前記チャネル状態情報生成部は前記複数のCSI-RS構成のうち１つを示す情報を含む前記チャネル状態情報を生成する、
通信方法。
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
端末装置と通信する基地局装置であって、
チャネル状態情報参照信号(CSI-RS)、及び複数のCSI-RS構成を示す情報を前記端末装置に送信する送信部と、
前記CSI-RSから生成されたチャネル状態情報を前記端末装置から受信する受信部と、を備え、
前記CSI-RS構成を示す情報は、前記CSI-RSがマッピングされるサブフレームにおいてリソースエレメントを示す情報であり、
前記受信部は前記複数のCSI-RS構成のうち１つを示す情報を含む前記チャネル状態情報を受信する、
基地局装置。
【請求項２】
前記受信部は前記複数のCSI-RS構成のうち１つを示す情報に基づいて算出されたチャネル品質指標を含む前記チャネル状態情報を受信する、
請求項１に記載の基地局装置。
【請求項３】
前記受信部は前記複数のCSI-RS構成のうち１つを示す情報及びランク指標を同じサブフレームで受信する、
請求項１に記載の基地局装置。
【請求項４】
前記受信部は前記複数のCSI-RS構成のうち１つを示す情報、ランク指標及びプリコーディング行列指標を同じサブフレームで受信する、
請求項１に記載の基地局装置。
【請求項５】
前記受信部は前記複数のCSI-RS構成のうち１つを示す情報、ランク指標及びプリコーディングタイプ指標を同じサブフレームで受信する、
請求項１に記載の基地局装置。
【請求項６】
前記送信部は、１つのCSI-RS構成を示す情報を前記端末装置に送信し、
前記CSI-RS構成を示す情報を複数送信する場合、前記チャネル状態情報は、前記複数のCSI-RS構成のうち１つを示す情報を含み、
前記CSI-RS構成を示す情報を１つ送信する場合、前記チャネル状態情報は、チャネル品質指標、プリコーディング行列指標、ランク指標、及びプリコーディングタイプ指標のうち少なくとも１つを含む、
請求項１に記載の基地局装置。
【請求項７】
前記複数のCSI-RS構成のうち１つを示す情報は、前記複数のCSI-RS構成を示す情報に対して順に設定された値である、
請求項１に記載の基地局装置。
【請求項８】
前記CSI-RSはビームフォーミングされて送信される、
請求項１に記載の基地局装置。
【請求項９】
前記複数のCSI-RS構成から送信されるCSI-RSのうち少なくとも１つはビームフォーミングパターンが異なる、
請求項８に記載の基地局装置。
【請求項１０】
基地局装置と通信する端末装置であって、
チャネル状態情報参照信号(CSI-RS)及び１又は複数のCSI-RS構成を示す情報を前記基地局装置から受信する受信部と、
前記CSI-RSからチャネル状態情報を生成するチャネル状態情報生成部と、
前記チャネル状態情報を前記基地局装置に送信する送信部と、を備え、
前記CSI-RS構成を示す情報は、前記CSI-RSがマッピングされるサブフレームにおいてリソースエレメントを示す情報であり、
前記受信部が複数のCSI-RS構成を示す情報を受信する場合、前記チャネル状態情報生成部は前記複数のCSI-RS構成のうち１つを示す情報を含む前記チャネル状態情報を生成する、
端末装置。
【請求項１１】
前記受信部が前記複数のCSI-RS構成を示す情報を受信する場合、前記チャネル状態情報生成部は前記複数のCSI-RS構成のうち１つを示す情報に基づいて算出されたチャネル品質指標を含む前記チャネル状態情報を生成する、
請求項１０に記載の端末装置。
【請求項１２】
前記受信部が前記複数のCSI-RS構成を示す情報を受信する場合、前記チャネル状態情報生成部は前記複数のCSI-RS構成のうち１つを示す情報及びランク指標を含む前記チャネル状態情報を生成し、
前記送信部は、前記複数のCSI-RS構成のうち１つを示す情報及びランク指標を同じサブフレームで送信する、
請求項１０に記載の端末装置。
【請求項１３】
前記受信部が前記複数のCSI-RS構成を示す情報を受信する場合、前記チャネル状態情報生成部は前記複数のCSI-RS構成のうち１つを示す情報、ランク指標及びプリコーディング行列指標を含む前記チャネル状態情報を生成し、
前記送信部は、前記複数のCSI-RS構成のうち１つを示す情報、ランク指標及びプリコーディング行列指標を同じサブフレームで送信する、
請求項１０に記載の端末装置。
【請求項１４】
前記受信部が前記複数のCSI-RS構成を示す情報を受信する場合、前記チャネル状態情報生成部は前記複数のCSI-RS構成のうち１つを示す情報、ランク指標及びプリコーディングタイプ指標を含む前記チャネル状態情報を生成し、
前記送信部は、前記複数のCSI-RS構成のうち１つを示す情報、ランク指標及びプリコーディングタイプ指標を同じサブフレームで送信する、
請求項１０に記載の端末装置。
【請求項１５】
前記受信部が前記１つのCSI-RS構成を示す情報を受信する場合、前記チャネル状態情報生成部は、チャネル品質指標、プリコーディング行列指標、ランク指標及びプリコーディングタイプ指標のうち少なくとも１つを含む前記チャネル状態情報を生成する、
請求項１０に記載の端末装置。
【請求項１６】
前記複数のCSI-RS構成のうち１つを示す情報は、前記複数のCSI-RS構成を示す情報に対して順に設定された値である、
請求項１０に記載の端末装置。
【請求項１７】
前記受信部は、ビームフォーミングされたCSI-RSを受信する、
請求項１０に記載の端末装置。
【請求項１８】
前記複数のCSI-RS構成で受信するCSI-RSのうち少なくとも１つはビームフォーミングパターンが異なる、
請求項１７に記載の端末装置。
【請求項１９】
端末装置と通信する基地局装置の通信方法であって、
チャネル状態情報参照信号(CSI-RS)、及び複数のCSI-RS構成を示す情報を前記端末装置に送信する送信ステップと、
前記CSI-RSから生成されたチャネル状態情報を前記端末装置から受信する受信ステップと、を有し、
前記CSI-RS構成を示す情報は、前記CSI-RSがマッピングされるサブフレームにおいてリソースエレメントを示す情報であり、
前記受信部は前記複数のCSI-RS構成のうち１つを示す情報を含む前記チャネル状態情報を受信する、
通信方法。
【請求項２０】
基地局装置と通信する端末装置の通信方法であって、
チャネル状態情報参照信号(CSI-RS)及び１又は複数のCSI-RS構成を示す情報を前記基地局装置から受信する受信ステップと、
前記CSI-RSからチャネル状態情報を生成するチャネル状態情報生成ステップと、
前記チャネル状態情報を前記基地局装置に送信する送信ステップと、を有し、
前記CSI-RS構成を示す情報は、前記CSI-RSがマッピングされるサブフレームにおいてリソースエレメントを示す情報であり、
前記受信部が複数のCSI-RS構成を示す情報を受信する場合、前記チャネル状態情報生成部は前記複数のCSI-RS構成のうち１つを示す情報を含む前記チャネル状態情報を生成する、
通信方法。
【国際調査報告】
2016072389.tif 000006
2016072389.tif 000007
2016072389.tif 000008
2016072389.tif 000009